(57)【要約】【課題】  本発明の主な目的は、簡易なシステムで最適なブラジャーを選定することができる最適ブラジャー選定装置および最適ブラジャー選定プログラムを提供することである。【解決手段】最適ブラジャー選定装置１００は、鏡２００、カメラ３０１、撮像された被写体者の少なくとも正面画像および側面画像から被写体者のバストトップを推定する第１推定部３０３ａと、カメラ３０１により撮像された被写体者の少なくとも正面画像および側面画像から被写体者のバストアンダーを推定する第２推定部３０３ｂと、第１推定部３０３ａおよび第２推定部３０３ｂによるバストトップおよびバストアンダーから被写体者のブラジャーを選定する制御部３０３と、を含むものである【選択図】図１
2017110308.tif 000002
【特許請求の範囲】
【請求項１】
鏡面部材と、
前記鏡面部材の鏡面に映る位置に設けられた撮像装置と、
前記撮像装置により撮像された被写体者の少なくとも正面画像および側面画像から被写体者のバストトップを推定する第１推定部と、
前記撮像装置により撮像された被写体者の少なくとも正面画像および側面画像から被写体者のバストアンダーを推定する第２推定部と、
前記第１推定部および前記第２推定部によるバストトップおよびバストアンダーから前記被写体者のブラジャーを選定する選定部と、を含む最適ブラジャー選定装置。
【請求項２】
前記第１推定部は、前記正面画像および前記側面画像から前記被写体者のバストトップを第１の楕円で推定し、
前記第２推定部は、前記正面画像および前記側面画像から前記被写体者のバストアンダーを第２楕円で推定する、請求項１記載の最適ブラジャー選定装置。
【請求項３】
前記被写体者の姿勢を指示する指示装置をさらに含み、
前記指示装置は、
前記正面画像として前記被写体者の正面を前記鏡に対向させて、前記撮像装置を所持した直立姿勢を指示し、
前記側面画像として前記被写体者に側面を前記鏡に対向させて、前記撮像装置を所持した直立姿勢を指示する、請求項１または２記載の最適ブラジャー選定装置。
【請求項４】
前記指示装置は、前記側面画像として前記被写体者に側面を前記鏡に対向させて、前記撮像装置を所持した最敬礼以上の角度のお辞儀姿勢を指示する、または、前記撮像装置を地面に載置し、かつ両手および両ひざを地面につけた姿勢を指示する、請求項１乃至３のいずれか１項に記載の最適ブラジャー選定装置。
【請求項５】
前記撮像装置は、スマートフォン、または携帯通信端末からなる請求項１から４のいずれか１項に記載の最適ブラジャー選定装置。
【請求項６】
前記選定部は、前記ブラジャーのサイズを補正する補正部をさらに含む、請求項１乃至５のいずれか１項に記載の最適ブラジャー選定装置。
【請求項７】
前記撮像装置は、被写体者の笑顔、または音声を判定して撮像する、請求項１乃至６のいずれか１項に記載の最適ブラジャー選定装置。
【請求項８】
鏡面部材を用いて被写体者の少なくとも正面画像および側面画像を撮像する撮像処理と、
前記撮像処理により撮像された被写体者の少なくとも正面画像および側面画像から被写体者のバストトップを推定する第１推定処理と、
前記撮像処理により撮像された被写体者の少なくとも正面画像および側面画像から被写体者のバストアンダーを推定する第２推定処理と、
前記第１推定処理および前記第２推定処理によるバストトップおよびバストアンダーから前記被写体者のブラジャーを選定する選定処理と、を含む最適ブラジャー選定プログラム。
【発明の詳細な説明】
【技術分野】
【０００１】
本発明は、最適ブラジャー選定装置および最適ブラジャー選定プログラムに関する。
【背景技術】
【０００２】
特開２０１２−７０９８９号公報（特許文献１）には、着衣状態であるか否かを体重とともに一覧表示しても、着衣状態であったか否かを容易にユーザに知らせること。画像を記憶する場合よりも記憶容量が少なくて済み、製造コストを抑えることが開示されている。
特許文献１に記載の生体情報測定装置においては、測定過程において体重の測定を必要とする生体情報を測定し、制御部と、記憶部と、体重測定部と、撮像部とを備える。制御部は、撮像部を制御して被測定者の画像を撮像し、撮像された画像の被測定者が着衣状態であるか否かを判定し、体重測定部を制御して体重を測定し、判定された着衣状態であるか否かの判定結果および測定された体重を対応付けて記憶部に記憶させるものである。
【０００３】
特開２０１０−２６７２４１号公報（特許文献２）には、初心者であっても、モデル、テクスチャ、モーションの調和を維持しつつ、簡便に３次元モデルの編集、及び３次元モデルを用いた動画の編集・視聴ができる３次元モデル表示装置及び３次元モデル表示システムが開示されている。
特許文献２記載の３次元モデル表示装置においては、ユーザが「試着する」の選択ボタンをクリックすると、試着しようとする服装、髪型、アイテム、アクセサリ等を、ユーザ自身が有するアバターに着用させた場合にどのような表示がなされるかについてプレビュー表示がなされる。ユーザが有するアバターの頭部、胴体部、胸部の大きさはユーザ管理テーブルにて管理されており、３次元モデル表示装置の表示画面に表示されるプレビュー表示に関する表示データは、頭部、胴体部、胸部の大きさをもとに、３次元モデル表示サーバにて動的に生成されるものである。
【０００４】
特開２００９−３０１９４号公報（特許文献３）においては、実際の着用時にフィット感を得られ、ユーザの嗜好も常に取り入れることが可能な下着のオーダーメイドシステムが開示されている。
特許文献３に記載のオーダーメイドシステムは、３次元人体計測装置と、３次元人体計測装置とネットワークを介して接続されたサーバと、サーバとネットワークを介して接続された端末と、を備え、前記サーバは、標準の理想体型に関する情報やユーザの個人情報とを有するデータベースと、測定データからユーザの人体の所定箇所の測定値を抽出する測定値抽出手段と、理想体型を算出する理想体型算出手段と、理想体型に対応する型紙データを作成する型紙データ作成手段と、型紙データに対応する縫製情報と個人情報と標準の理想体型に関する情報とを関連づけてカウンセリング情報としてデータベースに記録する記録手段と、ユーザの嗜好情報とカウンセリング情報とを比較し評価を行う評価手段と、最終縫製情報を決定する最終縫製情報決定手段と、を備えるものである。
【０００５】
特開２００４−３６０１３１号公報（特許文献４）においては、被服に対応する身体部位を、被服を装着した状態に近い状態で測定することのできる、被服用体格寸法測定方法について開示されている。
特許文献４記載の被服用体格寸法測定方法においては、体格寸法に応じて位置間隔が変化する複数の測定標識を備え、測定部位及び／又は体格寸法に適合する測定補助部材を選択して装着する測定補助部材装着行程と、上記測定補助部材を装着した身体の二次元画像を撮影する撮影行程と、上記二次元画像から、上記測定補助部材の装着部位を検出する装着部位検出行程と、装着した上記測定補助部材を特定する測定補助部材特定行程と、上記二次元画像から、上記測定標識間の距離を測定する標識間距離測定行程と、上記標識間距離測定行程において求めた測定標識間距離と、上記測定補助部材特定行程において特定された上記測定補助部材の基準寸法とから、上記測定補助部材を装着した部位の被服用体格寸法を求める体格寸法算出行程とを含んで構成されるものである。
【０００６】
特開２００４−３１８７５４号公報（特許文献５）においては、画面上で指定した方向からの外観画像を任意に表示可能な画像表示方法、これを用いた被服試着方法および被服試着装置について開示されている。
特許文献５記載の被服試着方法および被服試着装置においては、人物の画像を周囲から任意の角度ごとに撮影装置により固定した位置で撮影する。撮影装置のカメラの撮影出力は制御部に与えられ、制御部は各カメラの撮影出力をデジタル処理し、撮影出力を３次元ディスプレイに立体表示させ、画面上で撮影方向を指定すると、指定された方向を向くように人物の画像を表示する。
【０００７】
特開２００３−３０１３１３号公報（特許文献６）においては、客が欲する衣類を短時間で，精度のよいものとして引き渡すことができ、しかも一度オ−ダ−があればその客のデ−タを保存することで再オ−ダ−の際には採寸等の手間も不要とするものについて開示されている。
【０００８】
特許文献６記載の衣類の受注システムは、刊行物に掲載された衣類のデザインを処理機械に取り込ませ、着用予定者の体形サイズデ−タ及び指定する生地デ−タと共に送信し、着用予定者の顔写真やカメラ画像等により、出来上がり時の様子をバ−チャル確認し生地デ−タはコ−ド化し、処理機械において、取り込んだ衣類のデザインデ−タを変更し、処理機械による衣類のデザインの取り込みはスキャナ−による処理とした処理機械による衣類のデザインの取り込みは撮像デ−タの入力とし、採寸方法は衣類の着用予定者の体形サイズを光学系を用い、その反射や遮断に基づいて数値を得ることとし、光学系としてレ−ザ−を用いることとするものである。刊行物に掲載された衣類のデザインを処理機械に取り込ませ、着用予定者の体形サイズデ−タ及び指定する生地デ−タと共に送信させるものである。
【０００９】
特開２００２−２１３９２３号公報（特許文献７）においては、物体の三次元座標を簡単な装置で容易に測定できる、三次元座標自動測定方法及びこれを用いた三次元座標自動測定装置について開示されている。
特許文献７記載の三次元座標自動測定方法及びこれを用いた三次元座標自動測定装置は、特徴点に設けた測定補助手段に照明光を照射するとともに、異なる視点に設定した一対の撮像手段によって物体とともに上記測定補助手段を撮像して、第１の画像と第２の画像を得、上記第１の画像上の各特徴点に対応するエピ極線を第２の画像上に求め、上記第２の画像上の各特徴点を上記第１の画像上の一の特徴点に対応するエピ極線に近接するものから順位付けし、上記第２の画像上の各特徴点を、順位付けした順に上記第１の画像上の一の特徴点に対応するものと仮定して座標演算を行い、上記座標演算行程で得られた座標値が適正な値であるかどうかを検証して、第１の画像上の上記特徴点に対応する第２の画像上の特徴点を決定するものである。
【００１０】
特開２００１−１０１２７２号公報（特許文献８）においては、インターネット上で好きな商品を自分でコーディネイトしながら購入できるインターネットを利用した身体関連商品の購入システムについて開示されている。
特許文献８記載のインターネットを利用した身体関連商品の購入システムにおいては、商品購入者の全身のサイズデータ及び頭、手、足等の身体各部のサイズデータに基づく全身、身体の一部を三次元的、二次元的、断面図的およびまたは写真的に画像入力を行い、該全身を露出した状態、身体の一部を露出した状態、肌着をつけた状態、被服を着た状態の三次元画像、断面画像およびまたは身体の平面的画像、写真画像を適宜選択して画面上に写し出し、身体関連商品の販売者側から提供された商品コード、商品サイズデータ、デザインデータの一以上を適宜選択して、商品購入者の体形に合い、好みのデザインの商品をインターネット上で購入するものである。
【先行技術文献】
【特許文献】
【００１１】
【特許文献１】特開２０１２−７０９８９号公報
【特許文献２】特開２０１０−２６７２４１号公報
【特許文献３】特開２００９−３０１９４号公報
【特許文献４】特開２００４−３６０１３１号公報
【特許文献５】特開２００４−３１８７５４号公報
【特許文献６】特開２００３−３０１３１３号公報
【特許文献７】特開２００２−２１３９２３号公報
【特許文献８】特開２００１−１０１２７２号公報
【発明の開示】
【発明が解決しようとする課題】
【００１２】
近年、下着のみならず、服装を簡単に仮想現実の下で試着することが実施されている。
しかしながら、機器が大型化していることから、店舗へ赴き機器を操作する必要性があり、下着については、店員のサポートが必要となるため、恥かしさが残るという問題がある。
特に女性は、家庭で気軽にバストサイズに合うブラジャーを選択したいという希望を有する。
【００１３】
本発明の主な目的は、簡易なシステムで最適なブラジャーを選定することができる最適ブラジャー選定装置および最適ブラジャー選定プログラムを提供することである。
【課題を解決するための手段】
【００１４】
（１）
一局面に従う最適ブラジャー選定装置は、鏡面部材と、鏡面部材の鏡面に映る位置に設けられた撮像装置と、撮像装置により撮像された被写体者の少なくとも正面画像および側面画像から被写体者のバストトップを推定する第１推定部と、撮像装置により撮像された被写体者の少なくとも正面画像および側面画像から被写体者のバストアンダーを推定する第２推定部と、第１推定部および第２推定部によるバストトップおよびバストアンダーから被写体者のブラジャーを選定する選定部と、を含むものである。
【００１５】
この場合、鏡面部材により映し出された被写体者の正面画像および側面画像から被写体者のバストトップおよびバストアンダーを推定することができる。
特に、被写体者の正面画像および側面画像に撮像装置を映り込ませることで、撮像装置のサイズから被写体者のバストトップおよびバストアンダーのサイズを推定することができる。
【００１６】
（２）
第２の発明にかかる最適ブラジャー選定装置は、一局面に従うブラジャー選定装置において、第１推定部は、正面画像および側面画像から被写体者のバストトップを第１の楕円で推定し、第２推定部は、正面画像および側面画像から被写体者のバストアンダーを第２楕円で推定してもよい。
【００１７】
この場合、第１推定部により被写体者のバストトップが第１の楕円で推定される。また、第２推定部により被写体者のバストアンダーが第２の楕円で推定される。
その結果、被写体者を第１の楕円および第２の楕円で推定することにより、最適な数値を推定することができる。
【００１８】
（３）
第３の発明にかかる最適ブラジャー選定装置は、一局面または第２の発明にかかる最適ブラジャー選定装置において、被写体者の姿勢を指示する指示装置をさらに含み、指示装置は、正面画像として被写体者の正面を鏡に対向させて、撮像装置を所持した直立姿勢を指示し、側面画像として被写体者に側面を鏡に対向させて、撮像装置を所持した直立姿勢を指示してもよい。
【００１９】
この場合、指示装置をさらに含むので、被写体者は、指示装置に応じて撮影姿勢をとることができる。その結果、被写体者は、迷うことなく撮影を行うことができる。
【００２０】
（４）
第４の発明にかかる最適ブラジャー選定装置は、一局面から第３の発明にかかる最適ブラジャー選定装置において、指示装置は、側面画像として被写体者に側面を鏡に対向させて、撮像装置を所持した最敬礼以上の角度のお辞儀姿勢を指示する、または、撮像装置を地面に載置し、かつ両手および両ひざを地面につけた姿勢を指示してもよい。
【００２１】
この場合、最敬礼以上の角度のお辞儀姿勢をとることで、バストが重力に沿った形にすることができる。また、両手両膝を地面につけた姿勢で、撮像装置を地面に載置して撮像することによりバストが重力に沿った形にすることができる。以上の指示により、バストのバージスラインを推定することができる。
また、指示装置は、撮像装置に収納されていてもよい。
【００２２】
（５）
第５の発明にかかる最適ブラジャー選定装置は、一局面から第４の発明にかかる最適ブラジャー選定装置において、撮像装置は、スマートフォン、または携帯通信端末からなってもよい。
【００２３】
この場合、撮像装置は、スマートフォンまたは携帯通信端末からなるので、一般の方が所有するスマートフォンまたは携帯通信端末により撮像を行い、最適ブラジャーを選定することができる。
【００２４】
（６）
第６の発明にかかる最適ブラジャー選定装置は、一局面から第５の発明にかかる最適ブラジャー選定装置において、選定部は、ブラジャーのサイズを補正する補正部をさらに含んでもよい。
【００２５】
この場合、選定部は、ブラジャーのサイズを補正する補正部を有する。当該補正部は、標準体型よりも細い被写体者は、推定した第１の楕円および第２の楕円において、推定値よりも小さな値になることがあり、標準体型よりも太い被写体者は、推定した第１の楕円および第２の楕円において、推定値よりも大きな値になることがあるため、補正部により補正することができる。
【００２６】
（７）
第７の発明にかかる最適ブラジャー選定装置は、一局面から第６の発明にかかる最適ブラジャー選定装置において、撮像装置は、被写体者の笑顔、または音声を判定して撮像してもよい。
【００２７】
この場合、撮像装置は、被写体者の笑顔によりシャッターを切るので、撮像装置を手持ちした状態で、容易に撮像を行うことができる。また、被写体者の音声によりシャッターを切るので、撮像装置を手持ちした状態で、容易に撮像を行うことができる。
【００２８】
（８）
他の局面に従う最適ブラジャー選定プログラムは、鏡面部材を用いて被写体者の少なくとも正面画像および側面画像を撮像する撮像処理と、撮像処理により撮像された被写体者の少なくとも正面画像および側面画像から被写体者のバストトップを推定する第１推定処理と、撮像処理により撮像された被写体者の少なくとも正面画像および側面画像から被写体者のバストアンダーを推定する第２推定処理と、第１推定処理および第２推定処理によるバストトップおよびバストアンダーから被写体者のブラジャーを選定する選定処理と、を含むものである。
【００２９】
この場合、鏡面部材により映し出された被写体者の正面画像および側面画像から被写体者のバストトップおよびバストアンダーを推定することができる。
特に、被写体者の正面画像および側面画像に撮像装置を映り込ませることで、撮像装置のサイズから被写体者のバストトップおよびバストアンダーのサイズを推定することができる。
【図面の簡単な説明】
【００３０】
【図１】一実施の形態にかかる最適ブラジャー選定装置の基本構成の一例を示す模式図である。
【図２】最適ブラジャー選定装置の制御部の動作の一例を示すフローチャートである。
【図３】最適ブラジャー選定装置の制御部の動作の一例を示すフローチャートである。
【図４】表示部の一例を示す模式図である。
【図５】表示部の一例を示す模式図である。
【図６】トップ部位ＴＰとアンダー部位ＵＰとを検出する際の検出方法の一例を示す模式図である。
【図７】制御部がトップ部位ＴＰおよびアンダー部位ＵＰの長さを検出する手法を例示するための模式図である。
【図８】第１の楕円推定および第２の楕円推定の例示を説明するための模式図である。
【図９】第２の実施の形態にかかる最適ブラジャー選定装置の制御部の動作の他の例を示すフローチャートである。
【図１０】第２の実施の形態にかかる最適ブラジャー選定装置の制御部の動作の他の例を示すフローチャートである。
【図１１】表示部の一例を示す模式図である。
【図１２】第３の実施の形態にかかる最適ブラジャー選定装置の制御部の動作の他の例を示すフローチャートである。
【図１３】第３の実施の形態にかかる最適ブラジャー選定装置の制御部の動作の他の例を示すフローチャートである。
【図１４】表示部の一例を示す模式図である。
【図１５】バージスラインの一例を示す模式図である。
【発明を実施するための形態】
【００３１】
（第１実施の形態）
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３２】
（最適ブラジャー選定装置の構成概略）
図１は、第１の実施の形態にかかる最適ブラジャー選定装置１００の基本構成の一例を示す模式図であり、図２および図３は、最適ブラジャー選定装置１００の制御部３０３の動作の一例を示すフローチャートである。
図４および図５は、表示部３０４の一例を示す模式図である。
【００３３】
図１に示すように、最適ブラジャー選定装置１００は、鏡２００、スマートフォン３００を含む。
スマートフォン３００は、カメラ３０１、アプリケーション３０２、制御部３０３、表示部３０４および記録部３０５を含む。
制御部３０３は、第１推定部３０３ａおよび第２推定部３０３ｂを含む。
また、制御部３０３は、補正部３０３ｃを有し、記録部３０５に記録された補正データに基づいて補正処理を行うことができる。
【００３４】
まず、図２に示すように、ユーザは、スマートフォン３００の表示部３０４に表示されるアプリケーション３０２を起動する。そして、スマートフォン３００の制御部３０３は、アプリケーション３０２のプログラムの起動を認識する（ステップＳ１１）。
【００３５】
制御部３０３は、ユーザに対して、指示を行う。具体的に図４に示すように、制御部３０３は、スマートフォン３００を持ち、鏡２００にユーザの正面姿を映し、スマートフォン３００のカメラ３０１で撮影するよう表示部３０４を用いて指示をする（ステップＳ１２）。
例えば、図４に示すように、指示の内容としては、ユーザが直立姿勢で、腰付近にスマートフォン３００を配置し、スマートフォン３００の縦横サイズが鏡に映り、撮影できるよう指示される。
スマートフォン３００の裏面側または表面側のカメラ３０１を用いて撮影が行われる。ここで、制御部３０３は、ユーザの笑顔認識があるか否かを判定する（ステップＳ１３）。
【００３６】
例えば、制御部３０３は、ユーザの笑顔を認識していない場合、笑顔を認識できるまで、待機する（ステップＳ１３のＮｏ）。一方、制御部３０３は、ユーザの笑顔を認識した場合（ステップＳ１３のＹｅｓ）、カメラ３０１のシャッターを切る（ステップＳ１４）。
ここで、ユーザは、図４に示す姿勢のため、手でシャッターボタンを操作し難い。そのため、本実施の形態においては、笑顔認識によるシャッターを例示しているが、これに限定されず、音声認識によるシャッター、音量ボタン等によるシャッター、その他任意の手法によりシャッターを切るようにしてもよい。
【００３７】
制御部３０３は、撮像した正面画像である第１画像を記録部３０５に記録する（ステップＳ１５）。
次いで、制御部３０３は、ユーザに対して指示を行う。具体的に図５に示すように、制御部３０３は、スマートフォン３００を持ち、鏡２００にユーザの側面姿を映し、スマートフォン３００のカメラ３０１で撮影するよう表示部３０４を用いて指示をする（ステップＳ１６）。
例えば、図５に示すように、指示の内容としては、ユーザが直立姿勢で側面を鏡に映し、腰の側部付近にスマートフォン３００を配置し、スマートフォン３００の縦横サイズが鏡に映り、撮影できるよう指示される。
ここで、本実施の形態においては、腕を体に添わせるようにしてバストのラインと腕とが重ならないポーズを指示する。
【００３８】
スマートフォン３００の裏面側または表面側のカメラ３０１を用いて撮影が行われる。ここで、制御部３０３は、ユーザの笑顔認識があるか否かを判定する（ステップＳ１７）。
【００３９】
例えば、制御部３０３は、ユーザの笑顔を認識していない場合、笑顔を認識できるまで、待機する（ステップＳ１７のＮｏ）。一方、制御部３０３は、ユーザの笑顔を認識した場合（ステップＳ１７のＹｅｓ）、カメラ３０１のシャッターを切る（ステップＳ１８）。
ここで、ユーザは、図５に示す姿勢のため、手でシャッターボタンを操作し難い。そのため、本実施の形態においては、笑顔認識によるシャッターを例示しているが、これに限定されず、音声認識によるシャッター、音量ボタン等によるシャッター、その他任意の手法によりシャッターを切るようにしてもよい。
【００４０】
制御部３０３は、撮像した側面画像である第２画像を記録部３０５に記録する（ステップＳ１９）。
続いて、図３に示すように、制御部３０３は、側面画像から胸部のトップ部位ＴＰとアンダー部位ＵＰとを検出する（ステップＳ２１）。
【００４１】
図６は、トップ部位ＴＰとアンダー部位ＵＰとを検出する際の検出方法の一例を示す模式図である。
図６に示すように、制御部３０３は、側面画像の最も突出している位置をトップ部位ＴＰと推定する。
続いて、制御部３０３は、側面画像の最も突出している位置から下方に移動し、変曲点を見出し、当該変曲点をアンダー部位ＵＰと推定する。
当該変曲点とは、傾斜ＣＶの方向が、鉛直方向と同じまたは鉛直方向を超えた方向ＹＶに傾いた場合の点を意味する。
【００４２】
続いて、図３に示すように、制御部３０３は、トップ部位ＴＰおよびアンダー部位ＵＰを検出した後、それぞれの長さを検出する（ステップＳ２２）。
図７は、制御部３０３がトップ部位ＴＰおよびアンダー部位ＵＰの長さを検出する手法を例示するための模式図である。
図７に示すように、制御部３０３は、スマートフォン３００の縦横長さに基づいて、トップ部位ＴＰおよびアンダー部位ＵＰとの長さを検出する。
ここで、スマートフォン３００の縦横サイズは、予めアプリケーションソフトに記録されているものとする。その結果、図７に示すように、正面画像のカメラサイズに基づいて、トップ部位ＴＰおよびアンダー部位ＵＰの長さが検出できる。また、側面画像についても、同じように、カメラサイズに基づいて、トップ部位ＴＰおよびアンダー部位ＵＰの長さが検出できる。
【００４３】
次いで、制御部３０３の第１推定部３０３ａは、トップ部位ＴＰにおける第１の楕円推定を行い（ステップＳ２３）、第２推定部３０３ｂは、アンダー部位ＵＰにおける第２の楕円推定を行う（ステップＳ２４）。
【００４４】
図８は、第１の楕円推定および第２の楕円推定の例示を説明するための模式図である。
【００４５】
図８に示すように、第１推定部３０３ａは、正面画像から得られたトップ部位ＴＰの長さと、側面画像から得られたトップ部位ＴＰの長さとからなる四角枠ＳＱ１に内接する楕円を第１の楕円ＥＬ１として推定する。
同様に、図８に示すように、第２推定部３０３ｂは、正面画像から得られたアンダー部位ＵＰの長さと、側面画像から得られたアンダー部位ＵＰの長さとからなる四角枠ＳＱ２に内接する楕円を第２の楕円ＥＬ２として推定する。
【００４６】
制御部３０３は、記録部３０５に記録された複数のブラジャーのデータから、第１の楕円ＥＬ１および第２の楕円ＥＬ２に最も近似する最適なブラジャーを選択し（ステップＳ２５）、スマートフォン３００の表示部３０４に表示を行う（ステップＳ２６）。
その結果、ユーザは、容易に自分にフィットする最適なブラジャーを認識することができる。なお、最適なブラジャーは、最適なサイズと同じであれば、デザイン等が異なる複数のブラジャーを表示させてもよい。
【００４７】
（第２の実施の形態）
第２の実施の形態においては、第１の実施の形態にかかる最適ブラジャー選定装置１００の他の例について説明を行う。
【００４８】
図９および図１０は、第２の実施の形態にかかる最適ブラジャー選定装置１００の制御部の動作の他の例を示すフローチャートである。図１１は、表示部３０４の一例を示す模式図である。
第２の実施の形態にかかる最適ブラジャー選定装置１００ａが、第１の実施の形態にかかる最適ブラジャー選定装置１００と異なるのは、以下の点である。
【００４９】
図９に示すように、制御部３０３は、ステップＳ１１の処理からステップＳ１９の処理を第１の実施の形態と同じように実施する。
次いで、図１０に示すように、制御部３０３は、ユーザに対して、指示を行う。具体的に図１１に示すように、制御部３０３は、スマートフォン３００を持ち、鏡２００にユーザの側面姿を映し、スマートフォン３００のカメラ３０１で撮影するよう表示部３０４を用いて指示をする（ステップＳ１２ａ）。
【００５０】
例えば、図１１に示すように、指示の内容としては、ユーザがお辞儀姿勢、すなわち腰を９０度近く曲げて、胸が重力方向、鉛直下方向となるような姿勢で、腰付近にスマートフォン３００を配置し、スマートフォン３００の縦横サイズが鏡に映り、撮影できるよう指示される。
ここで、本実施の形態においては、腕を体に添わせるようにしてバストのラインと腕とが重ならないポーズを指示する。
スマートフォン３００の裏面側または表面側のカメラ３０１を用いて撮影が行われる。ここで、制御部３０３は、ユーザの笑顔認識があるか否かを判定する（ステップＳ１３ａ）。
【００５１】
例えば、制御部３０３は、ユーザの笑顔を認識していない場合、笑顔を認識できるまで、待機する（ステップＳ１３ａのＮｏ）。一方、制御部３０３は、ユーザの笑顔を認識した場合（ステップＳ１３ａのＹｅｓ）、カメラ３０１のシャッターを切る（ステップＳ１４ａ）。
ここで、ユーザは、図１１に示す姿勢のため、手でシャッターボタンを操作し難い。そのため、本実施の形態においては、笑顔認識によるシャッターを例示しているが、これに限定されず、音声認識によるシャッター、音量ボタン等によるシャッター、その他任意の手法によりシャッターを切るようにしてもよい。
【００５２】
制御部３０３は、撮像したお辞儀姿勢の側面画像である第３画像を記録部３０５に記録する（ステップＳ１５ａ）。
【００５３】
続いて、制御部３０３は、正面画像である第１画像、側面画像である第２画像、お辞儀姿勢の側面画像である第３画像から、胸部のトップ部位ＴＰとアンダー部位ＵＰとを検出する（ステップＳ２１ａ）。
【００５４】
続いて、制御部３０３は、トップ部位ＴＰおよびアンダー部位ＵＰを検出した後、それぞれの長さを検出する（ステップＳ２２ａ）。
制御部３０３は、当該長さ検出は、第１の実施の形態における図７と同様に検出し、図８と同様に、第１推定部３０３ａがトップ部位ＴＰにおける第１の楕円推定を行い（ステップＳ２３ａ）、第２推定部３０３ｂがアンダー部位ＵＰにおける第２の楕円推定を行う（ステップＳ２４ａ）。
【００５５】
制御部３０３は、記録部３０５に記録された複数のブラジャーのデータから、第１の楕円ＥＬ１および第２の楕円ＥＬ２に最も近似する最適なブラジャーを選択し（ステップＳ２５ａ）、スマートフォン３００の表示部３０４に表示を行う（ステップＳ２６ａ）。
その結果、ユーザは、さらに容易に自分にフィットする最適なブラジャーを認識することができる。なお、最適なブラジャーは、最適なサイズと同じであれば、デザイン等が異なる複数のブラジャーを表示させてもよい。
【００５６】
（第３の実施の形態）
第３の実施の形態においては、第１および第２の実施の形態にかかる最適ブラジャー選定装置１００の他の例について説明を行う。
【００５７】
図１２および図１３は、第３の実施の形態にかかる最適ブラジャー選定装置１００の制御部の動作の他の例を示すフローチャートである。
図１４は、表示部３０４の一例を示す模式図であり、図１５は、バージスラインの一例を示す模式図である。
【００５８】
第３の実施の形態にかかる最適ブラジャー選定装置１００ｂが、第１および第２の実施の形態にかかる最適ブラジャー選定装置１００，１００ａと異なるのは、以下の点である。
【００５９】
図１２に示すように、制御部３０３は、ステップＳ１１の処理からステップＳ１９の処理を第１の実施の形態と同じように実施する。
次いで、図１３に示すように、制御部３０３は、ユーザに対して、指示を行う。具体的に図１４に示すように、制御部３０３は、スマートフォン３００を地面に置き、両手両膝を地面につけて、四つん這いの姿勢で、スマートフォン３００のカメラ３０１で撮影するよう表示部３０４を用いて指示をする（ステップＳ１２ｂ）。この場合、撮影に鏡２００を用いなくてもよい。
【００６０】
スマートフォン３００の裏面側または表面側のカメラ３０１を用いて撮影が行われる。ここで、制御部３０３は、ユーザの笑顔認識があるか否かを判定する（ステップＳ１３ｂ）。
【００６１】
例えば、制御部３０３は、ユーザの笑顔を認識していない場合、笑顔を認識できるまで、待機する（ステップＳ１３ｂのＮｏ）。一方、制御部３０３は、ユーザの笑顔を認識した場合（ステップＳ１３ｂのＹｅｓ）、カメラ３０１のシャッターを切る（ステップＳ１４ｂ）。
ここで、ユーザは、図１４に示す姿勢のため、手でシャッターボタンを操作し難い。そのため、本実施の形態においては、笑顔認識によるシャッターを例示しているが、これに限定されず、音声認識によるシャッター、音量ボタン等によるシャッター、その他任意の手法によりシャッターを切るようにしてもよい。
【００６２】
制御部３０３は、撮像した下方からの画像である図１５の第４画像を記録部３０５に記録する（ステップＳ１５ｂ）。第４画像は、ユーザのバストを鉛直下方向から撮像した画像である。
【００６３】
続いて、制御部３０３は、正面画像である第１画像、側面画像である第２画像、下方からの画像である第４画像から、胸部のトップ部位ＴＰとアンダー部位ＵＰとを検出する（ステップＳ２１ｂ）。
【００６４】
続いて、制御部３０３は、トップ部位ＴＰおよびアンダー部位ＵＰを検出した後、それぞれの長さを検出する（ステップＳ２２ｂ）。
制御部３０３は、当該長さ検出は、第１の実施の形態における図７と同様に検出し、図８と同様に、第１推定部３０３ａがトップ部位ＴＰにおける第１の楕円推定を行い（ステップＳ２３ｂ）、第２推定部３０３ｂがアンダー部位ＵＰにおける第２の楕円推定を行う（ステップＳ２４ｂ）。
さらに、第３の実施の形態において、制御部３０３は、第４画像から、バージスラインを抽出する（ステップＳ３１ｂ）。
【００６５】
制御部３０３の補正部３０３ｃは、第１の楕円ＥＬ１、第２の楕円ＥＬ２および図１５の抽出したバージスラインから所定の補正を行う（ステップＳ３２ｂ）。例えば、バストの大きな人、またはバストの小さな人は、第１の楕円ＥＬ１、第２の楕円ＥＬ２および抽出したバージスラインからだけでは、最適なブラジャーを選択できない場合もある。そのため、サンプルに基づく補正を行う。
【００６６】
ここで、補正部３０３ｃは、バストの大きな人および小さな人に対して補正を行うこととしているが、バストの大小に限定されず、全てのサイズに対して補正を行ってもよく、補正をテーブル値に基づいて行ってもよく、補正を二乗係数等に基づいて行ってもよい。
【００６７】
制御部３０３は、記録部３０５に記録された複数のブラジャーのデータから、第１の楕円ＥＬ１、第２の楕円ＥＬ２、抽出したバージスラインに基づく補正処理を実施した値に最も近似する最適なブラジャーを選択し（ステップＳ２５ｂ）、スマートフォン３００に表示を行う（ステップＳ２６ｂ）。
【００６８】
なお、第３の実施の形態において、ステップＳ３１ｂの処理であるバージスラインの抽出は、図１５の第４画像から自動的に行うこととしているが、これに限定されず、第４画像をスマートフォンに表示させ、ユーザ自身がスマートフォンに表示された第４画像に対してなぞって決めてもよく、第４画像の撮像時にユーザ自身が想定するバージスラインを消去可能な染料（例えば、インク、マジック）等で自分のバストに描き、その描いたラインを抽出してもよく、動画撮影を行って指またはラインの軌跡を示す手法でユーザのバストを触り、バージスラインを抽出させてもよく、その他、任意の手法でバージスラインを抽出してもよい。
【００６９】
以上のように、第１の実施の形態から第３の実施の形態における最適ブラジャー選定装置１００，１００ａ，１００ｂは、鏡２００により映し出されたユーザの正面画像および側面画像からユーザのバストトップおよびバストアンダーを推定することができる。
特に、ユーザの正面画像および側面画像に撮像装置を映り込ませることで、スマートフォン３００のサイズからユーザのバストトップおよびバストアンダーのサイズを推定することができる。
【００７０】
さらに、第１推定部３０３ａによりユーザのバストトップが第１の楕円で推定され、第２推定部３０３ｂによりユーザのバストアンダーが第２の楕円で推定される。
その結果、ユーザを第１の楕円および第２の楕円で推定することにより、最適な数値を推定することができる。
【００７１】
また、制御部３０３がユーザに指示を行うので、ユーザは、スマートフォン３００の表示部３０４に応じて撮影姿勢をとることができる。その結果、ユーザは、迷うことなく撮影を行うことができる。
【００７２】
また、ユーザに、最敬礼以上の角度のお辞儀姿勢をとることで、バストが重力に沿った形にさせることができる。また、両手両膝を地面につけた姿勢で、スマートフォン３００を地面に載置して撮像することによりバストが重力に沿った形にすることができる。以上の指示により、バストのバージスラインを容易に推定することができる。
【００７３】
補正部３０３ｃは、標準体型よりも細い被写体者または標準体型よりも太い被写体者の最適ブラジャーの値を補正することができる。
【００７４】
また、ユーザの笑顔認識によりシャッターを切るので、スマートフォン３００を手持ちした状態で、容易に撮像を行うことができる。
【００７５】
本発明においては、鏡２００が「鏡面部材」に相当し、スマートフォン３００が「撮像装置」に相当し、第１画像が「正面画像」に相当し、第２画像が「側面画像」に相当し、第１推定部３０３ａが「第１推定部」に相当し、第２推定部３０３ｂが「第２推定部」に相当し、制御部３０３が「選定部」に相当し、最適ブラジャー選定装置１００が「最適ブラジャー選定装置」に相当し、表示部３０４が「指示装置」に相当し、補正部３０３ｃが「補正部」に相当する。
【００７６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７７】
１００  最適ブラジャー選定装置
２００  鏡
３００  スマートフォン
３０３  制御部
３０３ａ  第１推定部
３０３ｂ  第２推定部
３０３ｃ  補正部
３０４  表示部
【図１】
2017110308.tif 000003
【図２】
2017110308.tif 000004
【図３】
2017110308.tif 000005
【図４】
2017110308.tif 000006
【図５】
2017110308.tif 000007
【図６】
2017110308.tif 000008
【図７】
2017110308.tif 000009
【図８】
2017110308.tif 000010
【図９】
2017110308.tif 000011
【図１０】
2017110308.tif 000012
【図１１】
2017110308.tif 000013
【図１２】
2017110308.tif 000014
【図１３】
2017110308.tif 000015
【図１４】
2017110308.tif 000016
【図１５】
2017110308.tif 000017